(57)【要約】【課題】本発明の課題は、改良された固定組立体を提供することである。【解決手段】固定ねじ（１３）によって、固定部材を構成部材のある面に固定するため、且つ選択的に、構成部材を第２の構成部材に固定するための固定組立体における固定部材と相互に嵌合するために、ある面に固定組立体と相互に嵌合する雄型又は雌型位置決め特徴部（１５）を備えている、例えば、人工器官接合部の寛骨臼カップ（１１）のような人工器官のボール及びソケット接合部である構成部材。【選択図】図１
2011251175.tif 000002
【特許請求の範囲】
【請求項１】
固定部材を構成部材の面に固定するための固定組立体であって、
当該固定組立体は、前記構成部材の前記面と、固定部材と、固定ねじと、を含んでなり、
前記面は雄型位置決め特徴部を備えて形成され、前記固定部材は雌型位置決め特徴部を備えてそれぞれ形成され、あるいは、それぞれが反対であってもよく、
これにより、使用時に、前記雄型及び雌型位置決め特徴部が一体に嵌合し、
且つ、前記固定ねじが前記固定部材の開口部を貫通し、前記固定部材を前記面に固定し、前記構成部材を第２の構成部材に固定するために、前記固定ねじが利用できることを特徴とする固定組立体。
【請求項２】
前記固定ねじが前記面の外側に設けられていることを特徴とする請求項１に記載の固定組立体。
【請求項３】
前記雄型位置決め特徴部は、輪郭が（平らな）角柱状である少なくとも一つの部分を含んでなることを特徴とする請求項１または２に記載の固定組立体。
【請求項４】
前記雄型位置決め特徴部は、輪郭が円錐形である少なくとも一つの部分を含んでなることを特徴とする請求項１または２に記載の固定組立体。
【請求項５】
前記構成部材の位置決め特徴部が、前記面のリムに少なくとも部分的に配置されていることを特徴とする請求項１〜４のいずれか一項に記載の固定組立体。
【請求項６】
前記固定ねじが頭部を備えていることを特徴とする請求項１〜５のいずれか一項に記載の固定組立体。
【請求項７】
前記雌型位置決め特徴部が前記固定部材に設けられ、且つ、前記雄型位置決め特徴部が前記面に設けられていることを特徴とする請求項１に記載の固定組立体。
【請求項８】
前記第１の構成部材が寛骨臼カップであることを特徴とする請求項１〜７のいずれか一項に記載の固定組立体。
【請求項９】
構成部材の前記面が、人工器官のボール及びソケット接合部のカップにおける面であることを特徴とする請求項１〜７いずれか一項に記載の固定組立体。
【請求項１０】
前記固定部材が構成部材の外部面に固定されていることを特徴とする請求項１〜９のいずれか一項に記載の固定組立体。
【請求項１１】
固定部材を構成部材の面に固定するための固定組立体の部品キットであって、
当該キットは、構成部材の面と、固定部材と、固定ねじと、を含んでなり、
前記面は雄型位置決め特徴部を備えて形成され、前記固定部材は雌型位置決め特徴部を備えてそれぞれ形成され、あるいは、それぞれが反対であってもよく、
これにより、該部品キットが組立てられると、前記雄型及び雌型位置決め特徴部が一体に嵌合し、
且つ、前記固定ねじが前記固定部材の開口部を貫通し、前記固定部材を前記面に固定し、前記構成部材を第２の構成部材に固定するために、前記固定ねじが利用できることを特徴とする部品キット。
【請求項１２】
前記固定部材が構成部材の外部面に固定されていることを特徴とする請求項１１に記載の部品キット。
【請求項１３】
構成部材の前記面が、人工器官のボール及びソケット接合部のカップにおける面であることを特徴とする請求項１１に記載の部品キット。
【請求項１４】
請求項１〜１０のいずれか一項に記載の固定組立体と相互に嵌合するための雄型又は雌型位置決め特徴部をある面に有していることを特徴とする、例えば人工器官接合部の寛骨臼カップのような人工器官のボール及びソケット接合部。
【発明の詳細な説明】
【技術分野】
【０００１】
本発明は、固定部材を構成部材の表面に固定するための固定組立体に関するものであり、特に、全くそれ専用というわけではないが、固定部材を、患者の股関節の支持面における再表面化（resurfacing）又は置換の間に装着されるプロテーゼ（人工器官）カップに固定するための固定組立体に関する。
【背景技術】
【０００２】
従来、股関節内への支持面の再表面付又は置換の間、標準プロテーゼカップ構成部材は、寛骨臼内に準備された位置に押し入れられ、寛骨臼内のカップの安定性は、外科医によって判断される。時々、治療期間中にカップを支持する程度に十分な骨が不足しているということが指摘され、寛骨臼内のカップの安定性が不適当なものであると判断される。これらの状況下において外科医は、標準カップが除去されなければならないこと、及び、多数の一体的な固定部材を有する形成異常カップがしかるべき場所に装着されなければならないことを決定し得る。一体的な支持ラグは穿孔され、かつねじ立てされ、これにより、形成異常支持ねじの装着が可能になる。この場合、これらの支持ねじは、寛骨臼内に準備された地点にアンカー止めされる。このような方法の欠点は、形成異常カップが装着される前に、外科医が前記標準カップを装着して、次に除去しなければならないことであるように思われ得る。必要とされる際に支持ラグが装着され得るようになっていて、これにより、標準寛骨臼カップを形成異常カップに変形させることが可能となり、この結果、標準カップを除去する必要性が回避されるような標準寛骨臼カップを提供することが、有利となろう。
【発明の概要】
【発明が解決しようとする課題】
【０００３】
一体的な固定部材を有する形成異常カップに関してさらなる欠点は、支持ねじの位置及び角度配置が一体的な固定部材の位置及び配向によって規定され、ひいては外科医によって調整され得ないということである。支持ねじの、及びひいてはカップの、寛骨臼内への最適な固定を達成するために、支持ねじの位置及び／又は角度を調整することが可能であることは、外科医にとって望ましいことであろう。
【０００４】
本発明の課題は、改良された固定組立体を提供することである。
【課題を解決するための手段】
【０００５】
本発明の第１の観点によれば、固定部材を構成部材の外部面に固定するための固定組立体であって、当該固定組立体は、前記構成部材の前記面と、固定部材と、固定ねじと、を含んでなり、前記面は雄型位置決め特徴部を備えて形成され、前記固定部材は雌型位置決め特徴部を備えてそれぞれ形成され、あるいは、それぞれが反対であってもよく、これにより、使用時に、前記雄型及び雌型位置決め特徴部が一体に嵌合し、且つ、前記固定ねじが前記固定部材の開口部を貫通して前記固定部材を前記面に固定し、前記固定ねじが前記面の外部に配置されていることを特徴とする固定組立体が提供される。
【０００６】
本発明の第２の観点によれば、固定部材を構成部材の面に固定するための固定組立体であって、当該固定組立体は、前記構成部材の前記面と、固定部材と、固定ねじと、を含んでなり、前記面は雄型位置決め特徴部を備えて形成され、前記固定部材は雌型位置決め特徴部を備えてそれぞれ形成され、あるいは、それぞれが反対であってもよく、これにより、使用時に、前記雄型及び雌型位置決め特徴部が一体に嵌合し、且つ、前記固定ねじが前記固定部材の開口部を貫通して前記固定部材を前記面に固定し、前記固定ねじが前記構成部材を第２の構成部材に固定することに利用可能であることを特徴とする固定組立体が提供される。
【０００７】
使用時に、前記雄型及び雌型位置決め特徴部の間に締まり嵌め蟻継ぎ手が形成されるように、前記雄型及び雌型位置決め特徴部がそれぞれ少なくとも一つの対応するアンダーカット部を有し、望ましくは、前記雄型及び雌型位置決め特徴部がそれぞれ二つの対応するアンダーカット部を有することが好ましい。前記構成部材の位置決め特徴部が、前記面のリムに少なくとも部分的に配置されていることが有利である。
【０００８】
前記雄型位置決め特徴部が、前記雄型位置決め特徴部を２つのアーム部に分割するようなスリットを備えていることが好ましい。前記スリットは、前記雄型及び雌型位置決め特徴部の締まり嵌めにおける前記雄型位置決め特徴部の変形を可能にし、望ましくは、前記雄型位置決め特徴部は弾性変形可能材料により形成されていることが有利である。
【０００９】
スリットを備えた前記雄型位置決め特徴部が、前記固定部材に配置され、望ましくは、前記スリットが前記位置決め特徴部を貫通して前記開口部から半径方向に延びるように、前記固定部材が形成されていることが好ましい。前記スリットが、前記開口部の軸線と略平行な平面に形成されていることが都合よい。その代わりに、前記スリットが、前記開口部の軸線と略垂直な平面に形成されていても良い。
【００１０】
使用時に、前記固定ねじが前記固定部材の開口部内にねじ込まれると、前記雄型位置決め特徴部の複数のアーム部が所定位置にロックされることが好ましい。前記固定ねじが前記固定部材の開口部から部分的に又は完全に抜かれると、前記面の位置決め特徴部に対する固定手段の位置決め特徴部の方向と、前記面に対する固定手段自身の方向とは、調節可能であることが有利である。
【００１１】
前記固定ねじが頭部を備え、そして、前記ねじが前記頭部の近くに圧肉部を備え、これにより、スリットと共に少なくとも一つの雄型位置決め特徴部を有する前記雄型固定部材の開口部に前記ねじがねじ込まれると、前記位置決め特徴部の複数のアーム部が押されて離れることが好ましい。
【００１２】
前記面が、少なくとも一つの前記位置決め特徴部に近接するスレッド部を備え、これにより、使用時に、前記固定ねじが前記固定部材の前記開口部内にねじ込まれるのにともない、前記固定ねじが前記スレッド部と螺合することが都合良い。
【００１３】
前記雌型位置決め特徴部を形成し、前記固定部材を前記構成部材にロックする外周溝を、前記面が備えていることが好ましい。
【００１４】
本発明の第３の観点によれば、固定部材を構成部材の外部面に固定するための固定組立体の部品キットであって、当該キットは、構成部材の外部面と、固定部材と、固定ねじと、を含んでなり、前記面は雄型位置決め特徴部を備えて形成され、前記固定部材は雌型位置決め特徴部を備えてそれぞれ形成され、あるいは、それぞれが反対であってもよく、これにより、使用時に、前記雄型及び雌型位置決め特徴部が一体に嵌合し、且つ、前記固定ねじが前記固定部材の開口部を貫通して前記固定部材を前記面に固定し、前記固定ねじが前記面の外部に配置されていることを特徴とする固定組立体の部品キットが提供される。
【００１５】
本発明の第４の観点によれば、固定部材を構成部材の面に固定するための固定組立体の部品キットであって、当該キットは、構成部材の面と、固定部材と、固定ねじと、を含んでなり、前記面は雄型位置決め特徴部を備えて形成され、前記固定部材は雌型位置決め特徴部を備えてそれぞれ形成され、あるいは、それぞれが反対であってもよく、これにより、使用時に、前記雄型及び雌型位置決め特徴部が一体に嵌合し、且つ、前記固定ねじが前記固定部材の開口部を貫通して前記固定部材を前記面に固定し、前記固定ねじが前記構成部材を第２の構成部材に固定することに利用可能であることを特徴とする固定組立体の部品キットが提供される。
【００１６】
構成部材の前記面が、人工器官のボール及びソケット接合部のカップにおける外部面であり、望ましくは、前記カップが人工器官股関節の寛骨臼カップであることが好ましい。より好ましくは、前記寛骨臼カップが形成異常カップである。また、望ましくは、第２の構成部材が骨である。
【００１７】
本発明の第５の観点によれば、本発明の前記第１又は第２の観点の固定組立体における固定部材と相互に嵌合するための雄型又は雌型位置決め特徴部をある面に有していることを特徴とする構成部材が提供される。好ましくは、前記第５の観点の前記構成部材は、寛骨臼カップである。
【図面の簡単な説明】
【００１８】
【図１】本発明の第１の実施態様による固定組立体を示す展開斜視図である。
【図２】図１の固定組立体の組み立てられた状態を示す斜視図である。
【図３】図２の固定組立体の組み立てられた状態を断片的に拡大して示す概略鉛直断面図である。
【図４】図１〜図３に図示したような雌型位置決め特徴部を拡大して示す斜視図である。
【図５】図１〜図４のカップの雌型位置決め特徴部と固定部材の雄型位置決め特徴部と固定ねじとの細部を示しながら、使用時の固定組立体を断片的に拡大して示す概略横断面図である。
【図６】本発明の第２の実施態様による固定組立体を示す展開斜視図である。
【図７】図６の固定組立体の組み立てられた状態を示す斜視図である。
【図８】図７の固定組立体の組み立てられた状態を断片的に拡大して示す概略鉛直断面図である。
【図９】図７〜図８に図示したような雌型位置決め特徴部を拡大して示す斜視図である。
【図１０】図６〜図９のカップの雌型位置決め特徴部と固定部材の雄型位置決め特徴部と固定ねじとの細部を示しながら、使用時の固定組立体を断片的に拡大して示す概略横断面図である。
【図１１】本発明の第３の実施態様による固定組立体を示す展開斜視図である。
【図１２】図１１の固定組立体の組み立てられた状態を示す斜視図である。
【図１３】図１２の固定組立体の組み立てられた状態を断片的に拡大して示す概略鉛直断面図である。
【図１４】図１１〜図１３のカップの雌型位置決め特徴部と固定部材の雄型位置決め特徴部と固定ねじとの細部を示しながら、使用時の固定組立体を断片的に拡大して示す概略横断面図である。
【発明を実施するための形態】
【００１９】
本発明は、添付図面（図１〜図１４）を参照しつつ、実施例によって、以下に説明されるものである。
【００２０】
図面を参照すると、本発明に基づく固定組立体１０の一実施例が、図１〜図５に示されている。固定組立体は、好適な実施例における寛骨臼カップ１１である構成部材の外部表面と、ラグ（つまみ）１２の形状をした固定部材と、固定ねじ１３と、ラグに形成された雄型位置決め特徴部１４及びカップに形成された雌型位置決め特徴部１５と、を含んでなる。使用時には、固定組立体は、雄型及び雌型位置決め特徴部１４及び１５によって、ラグ１２をカップ１１の外部面に固定する。固定ねじ１３は、ラグの開口部１６を貫通する。開口部は内部スレッド（ねじ山）１８を有し、この内部スレッド１８が固定ねじ１３の外部スレッド１９と螺合する。
【００２１】
ラグ１２は、前記雄型位置決め特徴部１４を貫通して雄型位置決め特徴部１４を二つのアーム部２２、２３に分割するために、開口部１６から半径方向に延びるスリット２１を備えており、これらの関連性は以下で論述されるだろう。スリットは、略平行であって開口部の軸線を含み略平行な平面に形成される。
【００２２】
本発明の好適な実施例に基づく位置決め特徴部１４、１５は、少なくとも一つのアンダーカット部を有する。最も良好に示され得る図４に示すように、ラグ１２の雄型位置決め特徴部１４は二つのアンダーカット側部２７、２８を有する。雌型位置決め特徴部１５は対応するアンダーカット側部２５、２６を有し、使用時には、雄型位置決め特徴部及び雌型位置決め特徴部が互いに嵌め合うと、締まり嵌め蟻継ぎ手２９が形成される。
【００２３】
固定組立体を組立てるために、ラグ１２の雄型位置決め特徴部１４が、カップ１１の雌型位置決め特徴部１５内に挿入される。雄型位置決め特徴部１４と、スリットが貫通して延びるラグの少なくとも残りの部分は、好適な材料で形成され、雄型位置決め特徴部１４が雌型位置決め特徴部１５内に配置されている間、アーム部２２、２３が僅かに押され、又は、一緒に圧迫されている。スリットは、雄型及び雌型の位置決め特徴部の締まり嵌めにおける雄型位置決め特徴部の変形を可能にする。
【００２４】
雌型位置決め特徴部は、カップ開口端部の外周に形成されたリム３１の外側面に設けられた凹部である。凹部は、リムの水平面３１ａを貫通して分断し、リム下方のカップの外側面に抜けている。凹所は、正面から見て、（凸状）円錐形であって、水平面３１ａからリムの端部までそれぞれ延びるアンダーカット側部２５、２６を備えている。（凸状）円錐形凹部に合わせるように、それぞれのアンダーカット部の側部は対応した（凸状）円錐形である。ラグ１２の雄型位置決め特徴部１４が、雌型位置決め特徴部１５を形成する凹部に導入され、２つの対応したアンダーカット側部２７、２８がカップの軸線と直交するようにラグが配向される。次にラグ１２は、ラグを約９０°にわたって回転させることによって外部カップ面１１に装着され、これにより、ラグの側部２７、２８が雌型位置決め特徴部１５のアンダーカット側部２５、２６に係合する。次にラグは、ラグの位置において制限された角度にわたる回転によって、好ましい角度で連結され得、スリット２１が、雄型位置決め特徴部１４の雌型位置決め特徴部１５との締まり嵌めにおける、あらゆる条件の製造バリエーションを可能にする。寛骨臼カップにおける本発明の実施例では、（図示しない）患者の骨における固定ねじ１３の配置点は、従来、機械加工されていた。
【００２５】
固定ねじ１３は、ラグ開口部１６内に導入される。固定ねじ１３は、頭部３２と頭部に向かう圧肉部３３を備え、ねじがラグ開口部にねじ込まれると、圧肉部３３の外部スレッド１９が開口部１６の内部スレッド１８に螺合し、そして、アーム部２２、２３は互いに離れるように押されてねじ１３によって位置がロックされる。ラグの雄型位置決め特徴部１４はこうして、雌型位置決め特徴部１５の内側位置に保持固定される。圧肉部３３が開口部と係合しないように固定ねじ１３の非ねじ込み（取外し）は、アーム部２２、２３の移動を可能にし、これにより、ラグ１２の連結部が雌型位置決め特徴部１５及びカップ１１の面に対して調節され、或いは、カップから取外しされ得る。
【００２６】
図６から図１０を参照すると、本発明に基づく固定組立体１１０の第２の実施例は、カップ１１１の形状をした構成部材の外部表面と、ラグ１１２の形状をした固定部材と、固定ねじ１１３と、ラグに形成された雄型位置決め特徴部１１４及びカップに形成された雌型位置決め特徴部１１５と、を含んでなる。前述した実施例のように、使用時に、固定組立体は、雄型及び雌型位置決め特徴部１１４及び１１５によって、ラグ１１２をカップ１１１の外部面に固定する。固定ねじ１１３はラグの開口部１１６を貫通する。開口部は内部スレッド１１８を有し、この内部スレッド１１８が固定ねじ１１３の外部スレッド１１９と螺合する。
【００２７】
雌型位置決め特徴部１１５は、第１の実施例のそれと大変似た形状であって、２つのアンダーカット側部１２５、１２６を備えており、そして、雄型位置決め特徴部１１４は対応するアンダーカット側部１２７、１２８を備えており、これにより、使用時には、図１０に最も良好に示されるように、雄型及び雌型位置決め特徴部が互いに嵌合すると、蟻継ぎ手１２９が形成される。しかしながら、第１の実施例のラグにおける側部２７、２８は輪郭において円錐形であるが、第２の実施例のラグにおける側部２７、２８は輪郭において（平らな）角柱状であって、雌型位置決め特徴部１１５のアンダーカット側部１２５、１２６がこれに対応して特徴付けられていることが予想されるだろう。本発明のこの特定実施例に基づく、図示されて記載されているラグは、第１の実施例のスリット３１に相当するスリットの特徴を有していないことが、図示より予想されるだろう。しかし、このようなスリットは、製造バリエーションを取込むために本実施例に統合され得る。
【００２８】
使用時には、ラグ１１２の雄型位置決め特徴部１１４が、対応して形成されたカップ１１の雌型位置決め特徴部１１５内にスライドする。雄型位置決め特徴部１１４をカップに固定するために、同軸の隆起スレッドを備えた外部スレッド部１３０が、カップ１１１の雌型位置決め特徴部１１５に近接して配置される。固定ねじ１１３がラグ開口部１１６内に導入される。本発明におけるこの特定実施例では、固定ねじの圧肉部が図示も記載もされていないにも関わらず、そのような密集が存在し得ることが予見される。固定ねじ１１３の外部スレッド１１９が、開口部１１６の内部スレッド１１８に螺合し、ねじ１１３が開口部にねじ込まれるにともなって、固定ねじのスレッド１１９がまた、カップ１１の外部面における補完スレッド部１３０のスレッドに螺合する。ねじ１１３が開口部１１６内にねじ込まれてスレッド部１３０に螺合されると、ラグ１１２の位置がロックされ、カップ１１１の外部面に装着される。スレッド部１３０のスレッドは、たとえラグが僅かな角度であっても、ねじの螺合が可能なように、十分な程度に角度付けされて延びる。もし、外科医がカップに対しラグ１１２の角度を変更したい場合、雄型位置決め特徴部に対して所定角度の開口部分を備えた、図示しない代わりのラグが使用されて上述のように嵌合され得る。
【００２９】
図１１〜１４を参照すると、本発明に基づく固定組立体２１０の第３の実施例が、示されている。固定組立体は、好適な実施例における寛骨臼カップ２１１である構成部材の外部表面と、ラグの形状をした固定部材２１２と、固定ねじ２１３と、ラグに形成された雄型位置決め特徴部２１４及びカップに形成された雌型位置決め特徴部２１５と、を含んでなる。前述した実施例のように、使用時に、固定組立体は、雄型及び雌型位置決め特徴部２１４及び２１５によって、ラグ２１２をカップ２１１の外部面に固定する。固定ねじ２１３はラグの開口部２１６を貫通する。開口部は内部スレッド２１８を有し、この内部スレッド２１８が、従来の形状である固定ねじ２１３の外部スレッド２１９と螺合する。
【００３０】
ラグ２１２は、前記雄型位置決め特徴部２１４を貫通して雄型位置決め特徴部２１４を上部及び下部アーム部２２２、２２３に分割するために、開口部２１６から半径方向に延びるスリット２２１を備えており、これらの関連性は以下で論述されるだろう。スリットは、開口部の軸線と略垂直な平面に形成されている。カップ２１１の外部面は、上部外周リッジ２３１及び下部外周リッジ２３２により規定され、雌型位置決め特徴部を形成する溝である外周溝２１５を備えている。この溝２１５は、ラグ２１２の雄型位置決め特徴部２１４における上部アーム部２２２の対応したアンダーカット部２２７との相互嵌合のために、上部外周リッジ２３１の下面に外周アンダーカット部２２５を備えている。
【００３１】
使用時には、固定組立体を組立てるために、ラグ２１２の雄型位置決め特徴部２１４が、カップ２１１の溝２１５内に挿入される。雄型位置決め特徴部２１４と、スリット２２１が貫通して延びるラグの残りの部分は、有利には、弾性変形可能な材料からなり、完全なラグはそのような弾性変形可能材料からなり得る。雄型位置決め特徴部が弾性変形可能材料より形成されることによって、雄型位置決め特徴部２１４の溝２１５内への配置を促進するために、アーム部２２２、２２３が一緒に押され或いは圧迫されることが可能となる。図１３及び図１４で最も良好に示され得るように、溝のアンダーカット部２２５は、カップのリムにおける水平面２３１の下側部に配置される。アーム部２２２、２２３が一緒に圧迫された、ラグ２１２の雄型位置決め特徴部２１４における上部アーム部２２２のアンダーカット部２２７が、溝２１５の対応するアンダーカット部２２５に導入される。雄型位置決め特徴部２１４の輪郭は、断面において、図１３及び図１４で示され得るように、溝２１５の輪郭と近似している。ラグ２１２は次に、カップの中心軸線に対しラグを回転させることにより所定位置にクリップされ、アーム部２２２、２２３に作用する圧力の開放によって、溝の特性により許容され得る限りのアーム部の分離（開放）が可能となる。上部に外側方向の弓状面２３４を備えた外周外部リップ２３３が、下部外周リッジ２３２の上部面に配置される。ラグの雄型位置決め特徴部２１４における下部アーム部２２３は、外向きランプ面２３６を備えた下方向ランプ２３５を含んでなる。雄型位置決め特徴部の溝２１５内への挿入では、下部アーム部が上方向へ移動して弓状面２３４がランプ面２３６に係合する。従って、ランプは、ランプの背後に配置される下部アーム部の凹部２３７内に受容されるリップ２３３を通過して移動する。この特定実施例としてここに記載され且つ示されたラグ２１２のような特定形態の代替としては、折畳み式スプリングクリップが採用され得ることを理解されよう。
【００３２】
固定ねじ２１３は、次にラグ開口部２１６内に導入される。ねじが開口部２１６にねじ込まれると、図１４に示されるように、ラグ２１２の雄型位置決め特徴部２１４を溝２１５内の位置に保持するために、外部スレッド２１９が開口部の内部スレッド２１８に螺合し、分離されたアーム部２２２、２２３の配置がロックされる。
【００３３】
実施例では、カップに設けられた雌型位置決め特徴部２１５とラグに設けられた雄型位置決め特徴部２１４とを記述したが、雌型位置決め特徴部２１５をラグに設け、雄型位置決め特徴部２１４をカップに設けることは等しく可能であって、或いは、これらを組合わせることも可能であることが理解されよう。更に、カップには一つだけの位置決め特徴部が示されていたが、複数の位置決め特徴部があり得ることが予見され、これにより、複数のラグが一つのカップに固定され得る。
【００３４】
ここに記載された各実施例では、使用時に、固定ねじはカップの面の外側に保持され、更に固定ねじは、カップを第２の構成部材に固定する使用に利用可能である。寛骨臼の例では、この第２の構成部材が患者の骨であろう。従い、本発明は、構成部材の外部面に固定手段を固定する固定ねじが、カップを第２の構成部材に固定し得る同一の固定ねじであるという、特に便利な手法であることが予想され得る。しかし、一の代替例では、面は外部面ではなくて内部面であり得、但し更なる構成部材の固定に利用できるねじを備えている。
【００３５】
本発明に基づく固定装置はキットの形態として利用可能であることが予見される。
【００３６】
最後に、本発明に基づく固定組立体が、寛骨臼カップにラグを固定するための組立体に特に関連する必要性は、予見されないだろう。
【００３７】
雄型及び／又は雌型位置決め特徴部が提供される、例えば寛骨臼カップのような構成部材は、その独自の権利において創作的であることが考慮される。
【符号の説明】
【００３８】
１０、１１０、２１０  固定組立体
１１、１１１、２１１  カップ
１２、１１２、２１２  ラグ
１３、１１３、２１３  固定ねじ
１４、１１４、２１４  雄型位置決め特徴部
１５、１１５、２１５  雌型位置決め特徴部、溝
１６、１１６、２１６  開口部
１８、１１８、２１８  内部スレッド
１９、１１９、２１９  外部スレッド
２１、２２１  スリット
２２、２２２  アーム部 
２３、２２３  アーム部
２５、１２５  アンダーカット側部
２６、１２６  アンダーカット側部
２７、１２７  アンダーカット側部
２８、１２８  アンダーカット側部
１３０  スレッド部
３１  リム
３２  頭部
３３  圧肉部
２３１、２３２  外周リッジ
２３３  リップ
２３４  弓状面
２３５  ランプ
２３６  ランプ面
２３７  凹部
【図１】
2011251175.tif 000003
【図２】
2011251175.tif 000004
【図３】
2011251175.tif 000005
【図４】
2011251175.tif 000006
【図５】
2011251175.tif 000007
【図６】
2011251175.tif 000008
【図７】
2011251175.tif 000009
【図８】
2011251175.tif 000010
【図９】
2011251175.tif 000011
【図１０】
2011251175.tif 000012
【図１１】
2011251175.tif 000013
【図１２】
2011251175.tif 000014
【図１３】
2011251175.tif 000015
【図１４】
2011251175.tif 000016